(57)【要約】  照明ユニット１００の射出瞳１１２からの光がビーム・スプリッタ１０２に向けられ、ビーム・スプリッタ１０２はその光を対物レンズ１０４に向ける。もしその光によって照明ユニット１００の射出瞳１１２の実像とカメラ・ユニット１０６の入射瞳１１４の実像とが角膜１２０から水晶体１２４の裏面１２６までの範囲内の位置で形成可能であれば、網膜１２８が照明される。対物レンズ１０４は、対物レンズ１０４とカメラ・ユニット１０６の間に網膜１２８の中間実像１３０を形成する。ビーム・スプリッタ１０２は、網膜１２８からカメラ・ユニット１０６に光を向け、水晶体１２４において射出瞳１１２と入射瞳１１４の像が重ならないように照明の経路１３４と結像の経路１３２とをずらす。リレー・レンズ系１３８が、網膜１２８で反射された光により検出構成要素１３６上に中間像３０の実像を形成し、スクリーン１５０上に表示されるようにその像を電子形式に変換する。
2013537826.tif 000002
【特許請求の範囲】
【請求項１】
眼を撮像するための装置であって、照明ユニットと、ビーム・スプリッタと、対物レンズと、リレー・レンズ系と、カメラ・ユニットとを有する装置において、
前記照明ユニットは光放射源を有し、また前記照明ユニットは前記放射源の光放射を前記照明ユニットの射出瞳から前記ビーム・スプリッタに向けるように構成され、
前記ビーム・スプリッタは前記光放射を前記対物レンズに向けるように構成され、
前記照明ユニットは前記光放射により眼の網膜を照明するように構成され、前記対物レンズは、前記網膜で反射された前記光放射により、前記対物レンズと前記カメラ・ユニットの間に前記網膜の中間実像を形成するように構成され、前記照明ユニットの前記射出瞳の実像および前記カメラ・ユニットの入射瞳の実像が、前記角膜から眼の水晶体の裏面までの範囲内の位置に形成可能であり、
前記ビーム・スプリッタは前記光放射を前記網膜から前記カメラ・ユニットに向けるように構成され、また前記ビーム・スプリッタは、少なくとも前記水晶体内で前記射出瞳と前記入射瞳との像の重畳を防止するために、所定の様式で前記照明放射の経路と前記結像放射の経路をずらすように構成され、
前記カメラ・ユニットは検出構成要素を有し、前記リレー・レンズ系は、光学像を表示するために、前記網膜で反射された前記光放射により前記検出構成要素上に前記中間像の実像を形成するように構成されている
装置。
【請求項２】
前記検出構成要素は、前記光学像を電子形式に変換するように構成されている請求項１に記載の装置。
【請求項３】
前記ビーム・スプリッタが少なくとも１つの偏光子を有している請求項１に記載の装置。
【請求項４】
前記対物レンズは、実質的に前記水晶体の内部に、前記照明ユニットの前記射出瞳の実像を形成するように構成されている請求項１に記載の装置。
【請求項５】
前記対物レンズは、実質的に前記水晶体の内部に、前記カメラ・ユニットの前記入射瞳の実像を形成するように構成されている請求項１に記載の装置。
【請求項６】
前記照明ユニットの前記射出瞳の実像および前記カメラ・ユニットの前記入射瞳の実像は、前記照明放射の経路又は前記結像放射の経路の光軸に平行な線上の異なる場所にある請求項１に記載の装置。
【請求項７】
前記照明ユニットは、赤外放射により前記網膜を連続的に照明するように構成され、また前記照明ユニットは、前記網膜の少なくとも１つの静止画像を捕捉するために可視光をフラッシュするように構成されている請求項１に記載の装置。
【請求項８】
前記ビーム・スプリッタは前記対物レンズと前記リレー・レンズ系のアパーチャとの間に位置している請求項１に記載の装置。
【請求項９】
セットが、前記カメラ・ユニットと、複数の光学機能部品とを有し、
前記光学機能部品は前記カメラ・ユニットに繰り返し着脱可能であり、
前記カメラ・ユニットは単独で、身体の外面上の少なくとも１つの器官の像を捕捉するように構成され、
前記光学機能部品の１つが、前記眼を撮像するために、前記ビーム・スプリッタと、前記対物レンズとを有し、
前記セットの少なくとも１つのさらなる光学機能部品を備えた前記カメラ・ユニットが、前記眼および身体の外面上の少なくとも１つの前記器官とは異なる少なくとも１つの器官の像を捕捉するように構成されている
請求項１に記載の装置。
【請求項１０】
眼を撮像するための方法であって、
放射源の光放射を照明ユニットの射出瞳からビーム・スプリッタに向けるステップと、
前記ビーム・スプリッタによって、前記光放射を前記照明放射の経路に沿って対物レンズに向けるステップと、
前記照明ユニットの前記射出瞳の実像およびカメラ・ユニットの入射瞳の実像が、前記角膜から前記眼の前記水晶体の裏面までの範囲内の位置に形成可能であるように、前記光放射により、前記対物レンズを通して、前記眼の前記網膜を照明するステップと、
前記網膜で反射された前記光放射により、前記対物レンズを通して、前記網膜の中間実像を、前記結像放射の経路内で前記対物レンズと前記カメラ・ユニットの間に形成するステップと、
前記ビーム・スプリッタによって、前記光放射を前記網膜から前記カメラ・ユニットに向けるステップと、
少なくとも前記水晶体の表面上での前記射出瞳と前記入射瞳の像の重畳を防止するために、前記ビーム・スプリッタによって所定の様式で前記照明放射の経路と前記結像放射の経路をずらすステップと、
光学像を表示するために、リレー・レンズ系によって、前記網膜で反射された前記光放射により検出構成要素上に前記中間像の実像を形成するステップと
を含む方法。
【請求項１１】
前記検出構成要素によって前記光学像を電子形式に変換するステップをさらに含む請求項１０に記載の方法。
【請求項１２】
偏光ビーム・スプリッタによって前記光放射を方向付けるステップをさらに含む請求項１０に記載の方法。
【請求項１３】
前記対物レンズによって前記水晶体の内部に前記照明ユニットの前記射出瞳の実像を形成するステップをさらに含む請求項１０に記載の方法。
【請求項１４】
前記対物レンズによって、実質的に前記水晶体の内部に前記カメラ・ユニットの前記入射瞳の実像を形成するステップをさらに含む請求項１０に記載の方法。
【請求項１５】
前記照明ユニットの前記射出瞳の実像と前記カメラ・ユニットの前記入射瞳の実像とを、前記照明放射の経路又は前記結像放射の経路の光軸に平行な線上の異なる場所に形成するステップをさらに含む請求項１０に記載の方法。
【請求項１６】
赤外放射を用いて前記網膜を連続的に照明するステップと、前記網膜の少なくとも１つの静止画像を捕捉するために可視光をフラッシュするステップとをさらに含む請求項１０に記載の方法。
【請求項１７】
前記対物レンズと前記リレー・レンズ系の前記アパーチャとの間に位置する前記ビーム・スプリッタが、前記リレー・レンズ系とは異なる場所に、前記照明光放射と前記結像放射のずれを生み出す請求項１０に記載の方法。
【請求項１８】
セットが、前記カメラ・ユニットと、複数の光学機能部品とを有し、前記光学機能部品は前記カメラ・ユニットに繰り返し着脱可能であり、
前記カメラ・ユニットは単独で、身体の外面上の少なくとも１つの器官の像を捕捉するように構成され、
前記光学機能部品の１つが、前記眼を撮像するために、前記ビーム・スプリッタと、対物レンズとを有し、
前記セットの少なくとも１つのさらなる光学機能部品を備える前記カメラ・ユニットが、前記眼および身体の外面上の少なくとも１つの前記器官とは異なる少なくとも１つの器官の像を捕捉することができる
請求項１０に記載の方法。
【発明の詳細な説明】
【技術分野】
【０００１】
本発明の例示的であり非限定的な実施例は、一般に、検眼器具に関する。
【背景技術】
【０００２】
眼底カメラの光学的な設計は、いくつかの難しい要件を含む。例えば像が鮮明である必要があり、また検出時にノイズを克服するのに十分に高い輝度で一様に照明される必要がある。視野は、網膜の大きな区域を捕捉するように十分に広くすべきである。像はグレアを有さない必要がある。特に、眼底カメラのレンズから、角膜から、及び眼の水晶体からの反射が、像の品質を損なわせることになりやすい。また撮像は、広がっていない瞳孔で、すなわち無散瞳で行うことができることが望ましい。好ましくは、デバイスは、ハンドヘルド操作を可能にすべきである。最後に、デバイスは、コンパクトであり、撮像中に眼との位置合わせが容易であるべきであり、作業距離は十分に長い必要がある。
【発明の概要】
【発明が解決しようとする課題】
【０００３】
良好な検眼鏡を形成するためのいくつかの試行が存在している。従来技術において、反射に関わる問題は、典型的には、照明と結像に共通のレンズの適切な成形と共に、黒点接合方法（ｂｌａｃｋ−ｄｏｔ  ｃｏｎｊｕｇａｔｅ  ｍｅｔｈｏｄ）を使用することによって対処されている。しかし、それらは収差を増加させることによって像の品質を損ない、或いは使用可能な視野を制限する。したがって、適切な検眼鏡の明確な必要性がある。
【課題を解決するための手段】
【０００４】
以下に、本発明のいくつかの観点の基本的な理解を得られるように、本発明の簡略化した概要を示す。この概要は、本発明の広範な総括ではない。
【０００５】
本発明の一つの観点は、眼を撮像するための装置であって、照明ユニットと、ビーム・スプリッタと、対物レンズと、リレー・レンズ系と、カメラ・ユニットとを有する装置において、照明ユニットが光放射源を備え、照明ユニットが、放射源の光放射を照明ユニットの射出瞳からビーム・スプリッタに向けるように構成され、ビーム・スプリッタが光放射を対物レンズに向けるように構成され、照明ユニットが光放射を用いて眼の網膜を照明するように構成され、対物レンズが、網膜で反射された光放射を用いて、対物レンズとカメラ・ユニットの間に網膜の中間実像（ｒｅａｌ  ｉｎｔｅｒｍｅｄｉａｔｅ  ｉｍａｇｅ）を形成するように構成され、照明ユニットの射出瞳の実像とカメラ・ユニットの入射瞳の実像とが、角膜から眼の水晶体の裏面までの範囲内の位置に形成可能であり、ビーム・スプリッタが、光放射を網膜からカメラ・ユニットに向けるように構成され、ビーム・スプリッタが、少なくとも水晶体内で射出瞳と入射瞳との像の重畳を防止するために、所定の様式で照明放射の経路と結像放射の経路をずらすように構成され、カメラ・ユニットが検出構成要素を備え、リレー・レンズ系が、光学像を表示するために、網膜で反射された光放射を用いて検出構成要素上に中間像の実像を形成するように構成された装置に関する。
【０００６】
本発明の一つの観点は、眼を撮像するための方法であって、放射源の光放射を照明ユニットの射出瞳からビーム・スプリッタに向けるステップと、ビーム・スプリッタによって光放射を照明放射の経路に沿って対物レンズに向けるステップと、照明ユニットの射出瞳の実像とカメラ・ユニットの入射瞳の実像とが角膜から眼の水晶体の裏面までの範囲内の位置に形成可能であるように、光放射を用いて、対物レンズを通して眼の網膜を照明するステップと、網膜で反射された光放射を用いて、対物レンズを通して網膜の中間実像を結像放射の経路内で対物レンズとカメラ・ユニットの間に形成するステップと、ビーム・スプリッタによって光放射を網膜からカメラ・ユニットに向けるステップと、少なくとも水晶体の表面上で射出瞳と入射瞳の像の重畳を防止するために、ビーム・スプリッタによって、所定の様式で照明放射の経路と結像放射の経路をずらすステップと、光学像を表示するために、リレー・レンズ系によって、網膜で反射された光放射を用いて検出構成要素上に中間像の実像を形成するステップとを含む方法に関する。
【０００７】
本発明のさらなる実施例は、従属請求項に開示される。
【０００８】
本発明による解決策は、眼の無散瞳での撮像を可能にし、この撮像は、適切な視野で、グレアのない像をもたらす。
【０００９】
本発明の様々な観点、実施例、及び特徴を個別に記載するが、本発明の様々な観点、実施例、及び特徴のすべての組合せが可能であり、特許請求する本発明の範囲内にあることを理解すべきである。
【００１０】
以下、添付図面を参照しながら、例示的実施例を用いて本発明をより詳細に説明する。
【図面の簡単な説明】
【００１１】
【図１】検眼器具の全体構成を示す図である。
【図２】検眼器具の代替構成を示す図である。
【図３】照明放射の軸線と結像放射の軸線のずれを示す図である。
【図４】グルストランドの原理による眼内の光放射の経路を示す図である。
【図５】グルストランドの原理の要件よりも容易な要件を有する光放射の経路を示す図である。
【図６】照明放射と結像放射の経路が水晶体内でのみ分離された、眼の瞳孔を示す図である。
【図７】経路の一変形形態を示す図である。
【図８】経路の一変形形態を示す図である。
【図９】経路の一変形形態を示す図である。
【図１０】経路の一変形形態を示す図である。
【図１１】眼の瞳孔よりも大きい照明放射及び結像放射の経路の投影を示す図である。
【図１２】眼の瞳孔が小さい一例を示す図である。
【図１３】眼の瞳孔上での照明放射と結像放射の経路の投影を示す図である。
【図１４】眼の瞳孔上での照明放射と結像放射の経路の投影を示す図である。
【図１５】光学機能部品を有するカメラ・ユニットを示す図である。
【図１６】方法の流れ図である。
【発明を実施するための形態】
【００１２】
ここで、本明細書では以下、添付図面を参照しながら本発明の例示的実施例をより詳細に説明する。添付図面には、すべてではないがいくつかの本発明の実施例が図示されている。実際、本発明は多くの異なる形態で実施することができ、本明細書に記載する実施例に限定されるものと解釈すべきではない。本明細書においていくつかの箇所で「１つ」又は「いくつか」の実施例に言及することがあるが、これは、そのような言及がそれぞれ同一の（１つ又は複数の）実施例に関するものであること、又はその特徴が単一の実施例にのみ当てはまることを意味するものでは必ずしもない。様々な実施例の単一の特徴を組み合わせて、他の実施例を提供することもできる。
【００１３】
検眼器具などの装置の全体構成の一例が図１に示されており、これは、いくつかの要素及び機能実体のみを示す簡略化した全体構成であり、要素及び機能実体の実装は異なることがある。眼を撮像するための検査器具は、照明ユニット１００と、ビーム・スプリッタ１０２と、対物レンズ１０４と、カメラ・ユニット１０６とを備えることがある。照明ユニット１００は、１つ又は複数のレンズ１０８と、光放射源１１０とを備え、光放射源１１０はさらに、１つ又は複数の放射源要素を備えることがある。照明ユニットは、紫外光（約２５０ｎｍ〜４００ｎｍ）、可視光（約４００ｎｍ〜約７００ｎｍ）、赤外光（約７００ｎｍ〜１４００ｎｍ）のうちの少なくとも１つを伝送することができる。
【００１４】
照明ユニット１００は、放射源１１０の光放射を、照明ユニット１００の射出瞳１１２からビーム・スプリッタ１０２に向けることができる。射出瞳１１２は、照明ユニット１００の物理的アパーチャの下流の光学要素によって形成された、そのアパーチャの像である。ビーム・スプリッタ１０２は、照明放射の経路１３４内で、対物レンズ１０４に光放射を向ける。光放射の経路は、光放射によって占有される体積と定義することができる。経路のサイズ及び形状は、レンズ及び他の光学要素の特性に応じて決まる。眼も、経路に何らかの影響を有することがある。図１で、ビーム・スプリッタ１０２は、光放射の一部を対物レンズ１０４に向けて反射する。
【００１５】
一般に、ビーム・スプリッタは、そこに向けられた光放射の一部を反射し、光放射の残りの部分を通過させる。しばしば、ビーム・スプリッタは、光放射のビームを、ほぼ同じ強度を有する２つのビームに分割する。この同じ強度とは、元の分割されていないビームの強度の約５０％に対して数パーセント以下の範囲内であることがある。
【００１６】
一実施例では、ビーム・スプリッタ１０２は、偏光子を備えることがある。偏光子を備えるビーム・スプリッタ１０２は、例えば、偏光ビーム・スプリッタでよい。或いは又はさらに、照明放射と結像放射の両方を偏光するための１つ又は複数の偏光子が存在することもある。ビーム・スプリッタ１０２に関連付けられた偏光子は、光放射を直線偏光させることがある。
【００１７】
対物レンズ１０４は、１つ又は複数のレンズを備えることがある。対物レンズ１０４は、眼に対する作業距離に検査器具が移動されたときに、照明ユニット１００の射出瞳１１２の実像を角膜１２０から眼１２２の水晶体１２４の裏面１２６までの範囲内の位置に形成して、光放射で眼１２２の網膜１２８を照明する設計特性を有することがある。同様に、対物レンズ１０４は、眼に対する作業距離に検査器具が移動されたときに、カメラ・ユニット１０６の入射瞳１１４の実像を角膜１２０から眼１２２の水晶体１２４の裏面１２６までの範囲内の位置に形成する設計特性を有することがある。照明光放射は、網膜１２８に伝播するときに、眼の瞳孔１２７を通過することができる。同様に、検出機構に向かって進む結像光放射も、眼の瞳孔１２７を通過することができる。
【００１８】
また、対物レンズ１０４は、網膜１２８で反射された光放射である結像放射の経路１３２内で、対物レンズ１０４とカメラ・ユニット１０６の間に、網膜１２８の中間実像１３０を形成する設計特性を有することもある。一実施例では、中間実像１３０は、対物レンズ１０４とビーム・スプリッタ１０２の間でよい。
【００１９】
ビーム・スプリッタ１０２は、光放射を網膜１２８からカメラ・ユニット１０６に向けることができる。図１で、ビーム・スプリッタ１０２は、光放射の一部を検出機構に向けて通過させる。ビーム・スプリッタ１０２は、照明放射の経路１３４と結像放射の経路１３２を所定の様式で互いにずらすように設計及び／又は位置決めされていることがある。このずれは、少なくとも水晶体１２４で、射出瞳１１２と入射瞳１１４の像及び／又は放射ビームの重畳を防止することができる。
【００２０】
ビーム・スプリッタ１０２は、対物レンズ１０４とリレー・レンズ系１３８のアパーチャ１１６との間に位置することがある。ビーム・スプリッタ１０２は、リレー・レンズ系１３８の入射瞳１１４と対物レンズ１０４との間に位置されることがある。入射瞳は、リレー・レンズ系１３８のアパーチャ１１６の上流の光学要素によって形成された、（物空間内に投影された）そのアパーチャ１１６の像である。ビーム・スプリッタ１０２は、中間像１３０とリレー・レンズ系１３８の間に位置することがある。ビーム・スプリッタ１０２は、照明光放射と結像放射のずれを生み出すことができる。例えば、ビーム・スプリッタ１０２は、リレー・レンズ系１３８の射出瞳１１４と中間像１３０との間で光学的に中間の位置を取ることが可能となり得る。中間像１３０とビーム・スプリッタ１０２の間のいくらかの距離が、ビーム・スプリッタ１０２上のダストを防止するのに良好であることがある。そのようなダストは、例えば、像内に見えることがあり得る。
【００２１】
ビーム・スプリッタ１０２が偏光子を備える場合、ビーム・スプリッタ１０２から対物レンズ１０４に反射される光放射が偏光される。次いで、偏光された光放射が、眼１２２の網膜１２８に伝播し、網膜１２８で反射される。網膜１２８の表面は光学的に粗いので、偏光された光放射は、少なくとも一部、偏光解消される。反射された光放射が偏光ビーム・スプリッタ１０２に当たるとき、光放射の偏光された部分は、ビーム・スプリッタ１０２から照明ユニット１００に向けて反射され、検出されない。しかし、反射された光放射の偏光解消された部分の一部は、ビーム・スプリッタ１０２を通って検出機構に向けて伝播する。
【００２２】
偏光ビーム・スプリッタに加えて、又はその代わりに、照明放射のための前偏光子１４０と、結像放射のための後偏光子１４２とを備えるビーム・スプリッタを使用することができる。前偏光子１４０は、ビーム・スプリッタ１０２の前で、照明光放射１３４に対して直線偏光を行うことができる。後偏光子１４２も直線偏光子でよく、前偏光子１４０に対して交差した向きであることがあり、すなわち、後偏光子１４２の偏光軸は、前偏光子１４０の偏光軸に対して９０°回転される。この構成では、前偏光子１４０を通過する直線偏光を有する任意の光放射が、後偏光子１４２を通らないことがある。したがって、例えば、対物レンズ１０４からの反射は、後偏光子１４２を通らないことがあり、したがって検出構成要素１０６に伝播しないことがある。しかし、網膜１２８で反射された偏光解消された光放射の一部は、後偏光子１４２を通過して、検出構成要素１０６まで達することがある。
【００２３】
カメラ・ユニット１０６は、検出構成要素１３６を備え、また、リレー・レンズ系１３８を備えることがある。リレー・レンズ系１３８は、カメラ・ユニット１０６とは別個の構成要素でもよい。カメラ・ユニット１０６は、検出構成要素１３６とリレー・レンズ系１３８の一体型の組合せでよく、したがってカメラ・ユニット１０６はそれ自体、商品である。また、カメラ・ユニット１０６は、共通のフレーム内に画像処理ユニット１４８とスクリーン１５０を備えることもある。或いは、カメラ・ユニット１０６は、検査器具に固有の個別光学構成要素から設計及び形成されることがある。
【００２４】
リレー・レンズ系１３８は、少なくとも１つのレンズを備えることがある。リレー・レンズ系１３８は、反射された光放射を用いて、検出構成要素１３６上に中間像１３０の実像を形成することができる。検出構成要素１３６は、複数の画素を備えることがあり、これらの画素は、マトリックスの形であることがある。検出構成要素１３６の目的は、光学像を電子形式に変換することであることがある。しかし、検出構成要素１３６は、光電子検出器ではなく、写真フィルムでもよい。検出構成要素１３６は、ＣＣＤ（電荷結合素子）セル又はＣＭＯＳ（相補型金属酸化物半導体）セルでよい。カメラ・ユニット１０６は、デジタル・カメラのように機能することがある。電子形式での画像、すなわち１つ又は複数の静止画像又はビデオを画像処理ユニット１４８で処理し、次いで、ユーザに対して、検査器具のスクリーン１５０上に提示することができる。画像処理ユニット１４８は、処理装置とメモリを備えることができる。
【００２５】
図２は、検眼デバイスの代替構成を示す。この構成は、カメラ・ユニット１０６と照明ユニット１００の場所が交換されていること以外は、図１の構成と同様である。ビーム・スプリッタ１０２が偏光子を備える場合、ビーム・スプリッタ１０２を通過して対物レンズ１０２に向かう光放射が偏光される。次いで、偏光された光放射が、眼１２２の網膜１２８に伝播し、網膜１２８で反射される。反射された光放射が偏光ビーム・スプリッタ１０２に当たるとき、光放射の偏光された部分は、ビーム・スプリッタ１０２を通過して照明ユニット１００に向かう。しかし、反射された光放射の偏光解消された部分は、ビーム・スプリッタ１０２で反射されて検出機構に向かう。
【００２６】
やはり図２に示される実施例では、偏光ビーム・スプリッタは、非偏光ビーム・スプリッタと、偏光子１４４と、四分の一波長板１４６とによって置き換えられることがある。偏光子１４４は、照明放射１３４を、ビーム・スプリッタでの反射後に偏光することができる。四分の一波長板１４６は、直線偏光された照明放射１３４を円偏光された放射に変換することができる。光放射は、眼１２２に入る前に、対物レンズ１０４及び角膜１２０に当たる。検出構成要素１０６に向かって伝播する光放射の偏光は、四分の一波長板１４６で、そこを２度目に通るときに、円偏光された放射から直線偏光された放射に戻すことができる。しかし、このとき、直線偏光は、照明放射に対して９０°回転される。次いで、結像放射１３２は、偏光子１４４に再び当たることがある。偏光を保っている光放射の部分、特に反射光は、偏光子１４４を通過しないことがある。なぜなら、光放射の偏光は、四分の一波長板を２度目に通過した後には、計９０°回転されているからである。しかし、網膜１２８で反射された偏光解消された光放射の少なくとも一部は、偏光子１４４を通過することができる。
【００２７】
ここで、ミラー又は非偏光ビーム・スプリッタではなく、偏光ビーム・スプリッタを使用することによって照明放射と結像放射の光路が分離される実施例を少し詳細に考察する。偏光ビーム・スプリッタを使用して、リレー・レンズ系１３８の入射瞳１１４から離れた位置で、照明放射と結像放射の経路を分離することができる。偏光子を有する（又は有さない）ビーム・スプリッタは、検査器具内部に含まれることがある。カメラ・ユニット１０６は、独立したユニットでよく、他の目的でも使用されることがある１つ又は複数の通常のレンズを備えることがある。
【００２８】
図１に示されるように、照明放射と結像放射は、少なくとも対物レンズ１０４を共有し、場合によっては、対物レンズ１０４と、偏光子を備えることも備えないこともあるビーム・スプリッタ１０２との間の他のレンズも共有する。対物レンズ１０４が共有される利点は、検査器具と眼１２２の間の作業距離を好適に長くすることができることであり、これはまた、ハンドヘルド検査器具の操作の面でも有益であることがある。
【００２９】
偏光ビーム・スプリッタの使用は、反射を妨げずに、共有されるレンズに関する設計自由度を与える。偏光ビーム・スプリッタで反射された直線偏光された照明放射は、共有される表面（例えば、対物レンズ１０４の前面及び後面）で反射されるとき、その偏光状態を保ち、偏光ビーム・スプリッタによって照明ユニット１００に向けて反射される。しかし、照明放射が網膜１２８で散乱されるとき、照明放射は、実質的に偏光解消され、したがって、網膜１２８の像が、偏光ビーム・スプリッタを通って検出構成要素１３６に伝送される。当然、共有されるレンズは、実質的に複屈折を有さないべきであり、又はそれらの複屈折が、波長板など適切な補償器を使用することによって補償されるべきである。
【００３０】
一実施例では、複合グレア除去を使用することができ、それにより、第１の共有される表面からのグレアを、偏光に基づいて除去することができ、後続の（すなわち眼により近い）表面からのグレアを、少なくとも１つの補償器を用いた偏光に基づいて除去することができ、又は従来技術の方法を使用することによって、例えば形状を適切に設計することによって、及び／又は黒点接合方法を使用することによって除去することができる。
【００３１】
図３は、照明放射の経路の光軸３００と結像放射の経路の光軸３０２とのずれを示す。図３は、図１の構成を表す。しかし、方向の対応するずれは、図２と同様の構成でも存在することがある。照明放射の経路の光軸３００と結像放射の経路の光軸３０２とが成す角度αは、数度でよい。この角度αは、例えば３°〜１２°でよい。このずれを使用して、少なくとも水晶体１２４で、射出瞳１１２と入射瞳１１４の像の重畳を防止する（図４〜図６参照）。このずれは、調節可能であることがある。このずれは、例えば、ビーム・スプリッタ１０２を回転させることによって、又は照明瞳を移動させることによって変えることができる。
【００３２】
次に、眼によって引き起こされる反射を除去できる可能性を考察する。図４は、グルストランドの原理による一実施例での眼の光路を示す。眼底カメラに関連する一般的な問題は、眼の前部からのグレアである。反射源は、角膜１２０と、水晶体１２４の両面とである。グルストランドの原理によれば、それらの反射は、それらの表面上で、照明放射の経路４００と結像放射の経路４０２を互いに分離することによってなくすことができる。図４に示されるように、照明放射の経路４００と結像放射の経路４０２は、角膜１２０の表面上、並びに水晶体１２４の前面１２５及び後面１２６上で重なっていない。経路は、収束して、細いウエストになり、次いで発散する。角膜１２０と水晶体１２４の後面１２６との間の細いウエストは、照明ユニット１００の射出瞳１１２の焦点を意味する。同様に、カメラ・ユニット１０６の入射瞳１１４の像は、結像放射の経路４０２のウエストに焦点が合っている。
【００３３】
図５及び図６は、グルストランドの原理の要件よりも簡単な要件を有する一実施例を示す。図５は、照明放射と結像放射の経路が、水晶体１２４の前面１２５から後面１２６までの範囲内で分離される構成の視野を示す。偏光ビーム・スプリッタなど少なくとも１つの偏光子が使用される実施例では、角膜１２０からの反射は、なくされること、又はその反射が網膜の検査若しくは測定を妨げない程度に減衰されることがある。角膜１２０からの反射を考慮する必要がないので、照明放射の経路４００と結像放射の経路４０２は、水晶体１２４の表面上でのみ分離されることがあり、これは、検査器具のかなり大きい視野を可能にする。照明ユニット１００の射出瞳１１２の実像とカメラ・ユニット１０６の入射瞳１１４の実像は、照明放射の経路１３４又は結像放射の経路１３２の光軸に平行な線上の同じ場所又は異なる場所にあるように設計することができる。
【００３４】
図６は、眼の瞳孔を示し、ここでは、照明放射の経路４００と結像放射の経路４０２が水晶体１２４内部でのみ分離されている。一般に、照明放射の複数の経路が眼に向けられることがある。同様に、結像放射の複数の経路が眼から検出構成要素１３６に延びることがある。大きな円６００は、（実際には眼内にある）焦平面への眼の瞳孔の投影を示す。上側の円６０２は、焦平面上での結像放射の経路４０２の投影を表す。下側の円６０４は、焦平面上での照明放射の経路４００の投影を表す。経路のウエストの投影はどちらも、直径約１ｍｍの円板状でよく（これは、照明光学系及び結像光学系の効率的な使用を意味する）、放射の経路間に約１ｍｍの距離が存在することがある。上側の破線の円６０６は、眼の瞳孔での結像放射の投影を示す。下側の破線の円６０８は、眼の瞳孔６００での照明放射の投影を示す。光放射の両方の経路が、直径約４ｍｍの眼の瞳孔６００の内部にフィットしている。
【００３５】
ＮＩＲ（近赤外）波長及び可視光の使用時には、数ミリメートル以下のサイズが光放射の経路に適していることがある。検査器具は、像捕捉のために適正な位置に位置合わせすることができ、その後、可視光をフラッシュ・モードで使用して、静止画像又はショート・ビデオを捕捉することができる。ＮＩＲ波長は、瞳孔対光反射を引き起こさず、したがって、より大きな瞳孔サイズに関して機能するように検査器具を設計することができる。
【００３６】
照明放射の経路４００及び結像放射の経路４０２の投影は、様々なサイズ及び形状にすることができる。それらは、完全な円若しくは楕円、又は頂部を切った円若しくは楕円、又は長方形でよく、或いは、経路４００、４０２の分離、及び口径食（ケラレ）のない挙動を提供する任意の形状を有することができる。経路間の距離（そのサイズは、所望の視野及び眼の所望の最小瞳孔サイズに応じて決まる）は、光放射の出力が許容レベル未満である限り少量の光放射が許されることがある場合でさえ、光放射が実質的に存在しない距離である。放射の経路間の最小距離は、例えば、０．３ｍｍ〜１．５ｍｍ又は最大３ｍｍでよい。図４〜図６において、照明放射と結像放射の経路の投影はほぼ同じサイズであるが、当然、それらのサイズは、例えば、光放射源の輝度及び光学系の伝送損失に応じて異なることがある。しかし、眼において及び眼内において経路の小さな投影面積を実現することが狙いとされているときには、必要な像輝度が制限因子となり得る。
【００３７】
図７〜図１０は、経路のいくつかの形状及びサイズの変形形態を示す。図７では、例えば、投影は長方形状を有する。
【００３８】
図８では、例えば、照明放射の投影は小さな円であり、結像放射の投影は大きな円である。
【００３９】
図９では、例えば、照明放射の投影は小さな円であり、結像放射の投影は、頂部を切った円であり、これはほぼ長方形でよい。
【００４０】
図１０では、例えば、照明放射と結像放射の両方の投影が、頂部を切った円であり、これはほぼ長方形でよい。
【００４１】
検査器具と眼の位置合わせが、作業距離及び横方向変位の変化に対してより許容性を有するので、位置合わせがより容易になり得ることは注目する価値があり得る。また、眼の瞳孔の所要の最小直径はより小さくなり、これは、無散瞳での撮像を容易にする。
【００４２】
図１１は、眼６００の瞳孔よりも大きい経路４００、４０２の投影６０４、６０２を示す。照明放射と結像放射の両方に関する焦平面が水晶体１２４の中央にあるとき、経路４００、４０２の投影は、口径食をなくすために、眼の瞳孔を通過できるように十分に小さくされることがある（しかし、いくらかの口径食は許容され、実際には、結像放射と照明放射の経路内での口径食は逆であるので、それらは、互いに完全に又は部分的に補償することができ、一様な照明を有する像を実現する）。したがって、照明ユニット１００の射出瞳１１２とカメラ・ユニット１１６の入射瞳１１４の像は、必要以上には大きくないことがある。しかし、検査器具が、最高輝度モードのために（さらには広がった瞳孔で使用するために）最適化されるとき、照明放射と結像放射の両方の焦平面が実質的に眼の瞳孔の位置にあることがあり（図１１の場合と同様）、そのようにして口径食をなくすことによって、照明ユニット１００の射出瞳１１２とカメラ・ユニット１０６の入射瞳１１４の像のサイズが眼の瞳孔よりも大きくなることがある。このとき、口径食のない放射ビームを、眼の瞳孔のサイズとは無関係に提供することができる。当然、眼の瞳孔よりも小さい照明放射及び結像放射の投影を有するセットアップの場合と同じ全視野を実現するために、経路４００、４０２の間の距離をより長くする必要があることもある。
【００４３】
図１２は、眼の瞳孔が小さい一例を示す。直径が約２ｍｍと小さいことがある小さな眼の瞳孔で広い（例えば２０°又は３０°よりも広い）全視野を実現するために、焦平面（すなわち放射の経路のウエスト）は、眼の瞳孔の近くにあることがある。これは、口径食を最小限にする。照明ユニット１００の射出瞳１１２とカメラ・ユニット１０６の入射瞳１１４の像は、どちらも眼の瞳孔の内部にフィットするように小さいことがあり、又はより大きいこともある。一実施例では、焦平面は、水晶体１２４の内部で眼の瞳孔から０．１ｍｍ〜０．５ｍｍ離れていることがあり、口径食は、照明放射の経路と結像放射の経路における逆の口径食によって補償されることがある。このセットアップは、瞳孔を広げることなく、連続する可視光、例えば白色光による眼底の撮像を可能にする。撮像は、静止画像又はビデオの形式で行うことができる。
【００４４】
図１３及び図１４は、眼の瞳孔上での照明放射及び結像放射の経路の投影を示す。図１３では、例えば、投影は、眼の瞳孔よりも大きい長方形状を有する。図１４では、例えば、照明放射の投影は小さい円であり、結像放射の投影はより小さい長方形である。
【００４５】
眼は、角膜１２０と水晶体１２４の間でかなりの複屈折を有する。したがって、水晶体１２４からの反射は、照明放射の経路４００と結像放射の経路４０２が水晶体１２４内で分離されていない場合には目に見えるようになる。しかし、いくつかの実施例では、それらの反射は、少なくとも１つの波長板など偏光補償器を使用することによってなくすことができ、偏光補償器も調節可能であることがある。補償器は、角膜複屈折を補償することができ、したがって経路４００、４０２を角膜１２０で分離させる必要はない。その結果、光学器具のエタンデュ（ｅｔｅｎｄｕｅ）が最大化される。最大化されたエタンデュは、眼内に向けられる光出力を最適化して十分に高くすることができ、検査器具の集光力を増加させることができることを意味する。最大化されたエタンデュは、例えば、輝度の増加及び視野の拡大などの利点を提供する。
【００４６】
一実施例では、光の偏光状態は、光が眼１２２に入る前に、偏光スクランブラ（偏光解消器）又は適切な（場合によっては調節可能な）補償器を使用することによって所望の様式及び／又は度合いで混合又は変調することができる。照明放射と結像放射の経路は、角膜１２０から水晶体１２４の後面１２６までの範囲内で分離させることができる。これにより、網膜１２８の偏光依存特性を撮像、測定、又は除去できるようになる。
【００４７】
ここで、照明ユニット１００をより詳細に考察することができる。照明ユニット１００の射出瞳１１２を照明瞳と定義することができ、これはすなわち、例えばビーム・スプリッタ１０２からなど、照明ユニット１００の外部から見たときに照明放射がそこから発しているように見える実際の又は仮想の瞳孔である。照明ユニット１００の射出瞳１１２は、異なる形状及びサイズを有することがある。一実施例では、照明瞳は円形であるが、楕円形、長方形、頂部を切った円形、又は頂部を切った楕円形でもよい。眼の小さな瞳孔（特に対角で３ｍｍ未満）に関してデバイスが最適化されるとき、網膜の像内の点ごとに輝度が異なることがあるが、照明瞳は口径食がなくなることがある。
【００４８】
照明ユニット１１０の射出瞳１１２からの照明放射の経路は、発散形状を有することがあり、照明放射は、中間像面の所要の部分を実質的に一様に照明する。所要の部分は、網膜１２８の全視野領域の共役像と同じである。所要の領域外の光は、迷光を防止するために遮断されることがある。遮断は、例えば照明ユニット１００の内部又は照明ユニット１００の後方に口径食バッフル（ｖｉｇｎｅｔｔｉｎｇ  ｂａｆｆｌｅ）を追加することによって、或いは照明モジュールの内部に視野絞り（これは、照明視野絞りと呼ぶこともある）を設計して使用することによって、できるだけ早期に行うことができる。
【００４９】
次に、照明ユニット１００を考察する。複数の要素が利用される一実施例では、各要素は、光放射の所定の帯域を伝送することができる。光学的帯域は、単一波長から数百ナノメートル、さらには数千ナノメートルまで変えることができる。一実施例では、光放射源１１０は、その光学的帯域を制御することができる単一の要素でよい。帯域幅及び平均波長は、所定の様式で変えることができる。帯域の制御は電気的に行うことができる。例えば、平均波長は、要素内での光放射の生成を電気的に変えることによって変えることができる。
【００５０】
一実施例では、光放射源は、広帯域光源要素と、調節可能なフィルタとを備えることがある。光放射源の出力帯域は、フィルタに基づいて選択することができる。フィルタは、複数のフィルタ要素を有することがあり、各フィルタ要素は、異なる帯域又は異なる波長群を通過させる。各フィルタ要素を単独で、又は複数のフィルタ要素をまとめて使用して、照明ユニット１００の出力波長を選択することができる。また、調整可能なフィルタは、その光学的特性を電気的に変えることによって、１つ又は複数の所望の光学的帯域を通過させるように調整することもできる。
【００５１】
照明ユニット１００は、照明ユニット１００の射出瞳１１２を形成するため、及び中間像１３０の平面への適切な照明のために必要なレンズ、ライトパイプ、ダイクロイック、ミラー、アパーチャなどを備えることができる。放射源要素は、例えば、ＬＥＤ（発光ダイオード）、有機ＬＥＤ、発光プラズマ、レーザ、白熱電球、ハロゲン電球、アークランプ（例えばキセノンアークランプなど）、蛍光ランプ、又は、適切な波長を放出し、デバイスに適した他の特性を有する任意のランプでよい。
【００５２】
一実施例では、照明ユニット１００は、１つの白色ＬＥＤチップと、近赤外（ＮＩＲ）波長で発光する１つのＬＥＤチップとを備え、それらの放射は、例えば、ダイクロイックミラーを使用することによって組み合わされることがある。例えば、白色ＬＥＤチップは、４００ｎｍ〜７００ｎｍの帯域内の可視光を放出することができ、ＮＩＲ  ＬＥＤチップは、７００ｎｍ〜１２００ｎｍの帯域内、又は８００ｎｍ〜９００ｎｍのより狭い帯域内の光を放出することができる。ＮＩＲ波長を使用することによって、検査器具は、像捕捉のために適正な位置に位置合わせすることができ、その後、白色光をフラッシュ・モードで使用して、静止画像又は（ショート）ビデオを捕捉することができる。ＮＩＲ波長は、瞳孔対光反射を引き起こさず、したがって、より大きな瞳孔サイズに関して機能するように検査器具を設計することができ、これはさらに、光学設計における妥協の均衡を容易にする。
【００５３】
一実施例では、眼は、近赤外放射でのみ照明され、光学検査デバイスは、可視光の焦点が合うように、近赤外放射に関しては焦点がずれている。レンズが可視光とはわずかに異なる形で近赤外放射を屈折するので、そして屈折の相違すなわち集束（ｆｏｃｕｓｉｎｇ）の相違が予め分かっているので、光学構成要素のそのような設定すなわち集束が可能である。可視光がフラッシュされるとき、結像光学系が既に集束した状態であるので、集束のためのアクションを行う必要がない。
【００５４】
蛍光血管造影法など多くの診断目的のために、所定の光学的帯域で照明及び／又は結像することが有益であることがある。上記の目的及び他のスペクトル分析目的において、照明ユニット１００は、１つ又は複数の放射源を備えることができ、放射源は広帯域光放射を伝送し、次いで、バンドパス・フィルタを使用することによってこの光放射をフィルタして、少なくとも１つの所望の波長帯域を提供することができる。蛍光血管造影法では、適切な照明は、例えば、４６５ｎｍ〜４９０ｎｍの間でよい。１つ又は複数の適切な波長範囲で光を放出することができる１つ又は複数の放射源要素を使用するときには、フィルタの使用をなくすこともできる。フィルタを用いないそのような実施例の一例は、血管造影法用の４７０ｎｍの中心波長で発光する青色ＬＥＤである。一実施例では、波長調整可能フィルタを使用することができる。
【００５５】
また、結像光放射が検出構成要素１３６に達する前に結像光放射をフィルタすることが有用であることもある。このフィルタリングは、結像光放射を少なくとも１つの所望の帯域に制限することがある。少なくとも１つの帯域の帯域幅は、例えば、単一波長（非常に狭いノッチフィルタ）から数百ナノメートルまで変わることがある。しかし、１つ又は複数の光学的帯域の帯域幅は、この実例に限定されない。
【００５６】
また、ＩＲ又はＵＶ領域内の１つ又は複数の光学的帯域を遮断するためにフィルタが必要とされることもある。例えば、ＵＶ放射は、眼の損傷を引き起こすことがある。照明の帯域とは部分的に又は完全に異なる帯域で少なくとも１つの像を取得するために、結像放射の経路と照明放射の経路で個別のフィルタを使用することができる。
【００５７】
一実施例では、照明ユニット１００は、ケーラー照明の教示に基づくことがあるが、クリティカル照明又は何らかの他の照明方式を使用することもできる。ＬＥＤチップの発光領域は、照明ユニット１００の射出瞳１１２（すなわち照明瞳）に結像させることができる。次いで、照明視野絞り１６０に結像されたチップの角出力を中間像１３０の平面に結像させることができ、この像を対物レンズ１０４によって網膜１２８に結像させることができる。障害となる迷光を遮断するための照明視野絞りを有するという利点に加えて、これは、よく画定された照明瞳、及び網膜１２８に対する均一で口径食のない照明を提供することができる。
【００５８】
一実施例では、単純な照明は、非球面集光レンズに基づくことがあり、このレンズは、光をＬＥＤから収集し、発光領域を照明ユニット１００の射出瞳１１２に結像し、同時に、照明視野絞り１６０を中間像１３０の平面に結像する。
【００５９】
一実施例では、照明ユニット１００は、集光系を有するＬＥＤを備える、又はＬＥＤチップのみを備えることがある。
【００６０】
次に、対物レンズ１０４を少し詳細に考察する。検査器具は、対物レンズ１０４と、リレー・レンズ系１３８とを備えることがある。対物レンズ１０４は、対物レンズ１０４と検出構成要素１３６の間に網膜１２８の中間実像１３０を形成することができる。リレー・レンズ系１３８は、検出構成要素１３６上に中間像１３０の像を形成することができる。２回行われるこの結像、すなわち中間像１３０が結像される二重結像は、以下の利点をもたらすことがある。例えば、ビーム・スプリッタ１０２のための空間が存在する。そうでない場合には、ビーム・スプリッタ１０２は、対物レンズ１０４の外側、すなわち対物レンズ１０４と眼１２２の間に挿入すべきである。これは、眼に対する短い作業距離、狭い視野、及び像の輝度に関わる問題など、いくつかの欠点を生じる可能性がある。
【００６１】
或いは、ビーム・スプリッタ１０２は、対物レンズ１０４内に挿入することができるが、これは、対物レンズ設計をかなり制約し、検出構成要素１３６のサイズを大きくする必要があることなど、他の欠点を引き起こす。二重結像アーキテクチャの別の利点は、網膜１２８から検出構成要素１３６への倍率を、検出構成要素１３６の所望のサイズに適した値に調整及び設定するのが容易であることであり得る。また、倍率は調節可能であることがあり、すなわちシステムは、例えば光学要素を調節すること、又は場合によっては中間像１３０と検出構成要素の間の距離を調節することによって、光学ズーム機能を含むことができる。二重結像アーキテクチャのさらに別の利点は、中間像１３０が鮮明であっても、鮮明でなくてもよいことであり得る。これは、眼１２２及び対物レンズ１０４によって引き起こされるすべての収差を、対物レンズ１０４のみによって補正する必要はないことを意味する。対物レンズ１０４を用いて収差を補正できる可能性に限度があるので、代わりにリレー・レンズ系１３８で収差のいくらかを補正することもできる。したがって、広い視野で鮮明な像を取得することが可能になり得る。
【００６２】
二重結像アーキテクチャのさらに別の利点は、リレー・レンズ系１３８及び検出構成要素１３６を有するカメラ・ユニット１０６が、セット内の一部品でよいことであり、このセットは、さらに、カメラ・ユニット１０６に繰り返し着脱可能な光学機能部品１５００〜１５０４を備える。そのような検査器具が、図１５に示される。カメラ・ユニット１０６は、単独で、身体の外側部分、例えば皮膚の検査など、広範囲の用途で使用することができる。このとき、１つの光学機能部品１５００が、例えば、ビーム・スプリッタ１０２と、対物レンズ１０４とを含むことがある。セット内の少なくとも１つのさらなる光学機能部品１５０２（又は１５０４）は、眼１２２と、身体の外面上の少なくとも１つの器官とのどちらとも異なる少なくとも１つの器官の像を捕捉することができる。
【００６３】
最も単純な形態での対物レンズ１０４はシングレットであることがあり、これは、１つ又は２つの非球面を有することがある。対物レンズ１０４の光軸と結像放射の光軸とが成す角度は、限定はしないが、例えば０〜９度の間でよい。
【００６４】
対物レンズ１０４は、ガラス又は光学プラスチックからなることがある。研削後に対物レンズ１０４のガラスをアニーリングすることによって、複屈折を最小限に抑えることができる。一実施例では、対物レンズ１０４がダブレットを備え、これは、色収差を最小限に抑えるために使用することができる。当然、要素の数は、１つ又は２つに限定されず、設計の複数の変形形態が存在し得る。レンズのいくつかが複屈折をもたらしている場合、複屈折を補償するために適切な補償器を使用することができる。別の可能性は、適切な表面形状の対物レンズを使用することである。さらに別の可能性は、黒点接合方法を適用することである。
【００６５】
対物レンズ１０４の焦点距離は、例えば１０ｍｍ〜５０ｍｍで変えることができる。全視野は、例えば２０°〜６０°でよい。眼までの作業距離は、例えば８ｍｍ〜４０ｍｍでよい。網膜１２８から中間像１３０への倍率は、例えば１．２〜２．０でよい。
【００６６】
リレー・レンズ系１３８は、検出構成要素１３６に中間像１３０の像を形成することができる。偏光効果を有する又は有さないビーム・スプリッタ１０２は、中間像１３０とリレー・レンズ系１３８の間でよいが、リレー・レンズ系１３８の内部にあってもよい。しかし、リレー・レンズ系１３８の開口絞りがカメラ・ユニット１０６の入射瞳１１４として働く場合には、ビーム・スプリッタ１０２は、検出構成要素１３６とリレー・レンズ系１３８の開口絞りとの間には配置されないことがある。リレー・レンズ系１３８と対物レンズ１０４が別個のレンズ系でよく、すなわち検出構成要素１３６とリレー・レンズ系１３８が合わさって独自の多目的カメラ・ユニット１０６を形成することができることを１つの利点とみなすことができる。
【００６７】
開口絞り、すなわち入射瞳１１４のサイズ及び形状は、眼１２２の前部に対して入射瞳１１４の所望の像を提供することができるように寸法を定められる。一実施例では、リレー・レンズ系１３８は、円形アパーチャを有する従来のカメラレンズ系である。一実施例では、リレー・レンズ系１３８の焦点距離は、８ｍｍ〜１００ｍｍの間でよい。しばしば、１２ｍｍ〜３５ｍｍの焦点距離が十分と見られる。
【００６８】
図１に示される一実施例では、検査器具は、例えば視野平坦化又は瞳孔適合の目的のために、視野レンズ１６０を有することがある。視野レンズ１６０は中間像１３０の平面の近くにあることがある。視野レンズ１６０は、対物レンズ１０４又はリレー・レンズ系１３８の一部でよく、或いはそれら両方に一部共通でもよい。
【００６９】
一般に、対物レンズ１０４の焦点距離は、例えば２３ｍｍ〜２７ｍｍの間でよい。検査器具の作業距離（すなわち、角膜から、対物レンズの最も近い表面までの距離）は、例えば１８ｍｍ〜２６ｍｍの間でよい。照明瞳から中間像１３０までの光学距離は、例えば９０ｍｍ〜１３０ｍｍの間でよい。リレー・レンズの入射瞳から中間像までの光学距離は、照明瞳から中間像までの光学距離との差が１０ｍｍ以内である。リレー・レンズ系１３８の焦点距離は、例えば１５ｍｍ〜２５ｍｍの間でよい。入射瞳１１４の直径は、３ｍｍ〜６ｍｍの間でよい。中間像１３０は、対物レンズ１０４から約１８ｍｍ〜３０ｍｍ離れていてよい。４５°の全視野は、約１２ｍｍ〜２２ｍｍの中間像直径に対応することがある。
【００７０】
図１６は、本発明の一実施例による装置の流れ図である。ステップ１６００で、放射源１１０の光放射が、照明ユニット１００の射出瞳１１２からビーム・スプリッタ１０２に向けられる。ステップ１６０２で、光放射は、ビーム・スプリッタ１０２によって、照明放射の経路１３４に沿って対物レンズ１０４に向けられる。ステップ１６０４で、光放射を用いて、対物レンズ１０４を通して、照明ユニット１００の射出瞳１１２の実像とカメラ・ユニット１０６の入射瞳１１４の実像とを角膜１２０から眼１２２の水晶体１２４の裏面１２６までの範囲内の位置に形成可能であるように、眼１２２の網膜１２８が照明される。ステップ１６０６で、網膜１２８で反射された光放射を用いて、対物レンズ１０４を通して、結像放射の経路１３２内で対物レンズ１０４とカメラ・ユニット１０６の間に網膜１２８の中間実像１３０が形成される。ステップ１６０６で、網膜１２８からの光放射が、ビーム・スプリッタ１０２によってカメラ・ユニット１０６に向けられる。ステップ１６０８で、射出瞳１１２と入射瞳１１４の像の重畳を防止するために、ビーム・スプリッタ１０２によって、照明放射の経路１３４と結像放射の経路１３２が、少なくとも水晶体１２４の表面１２５、１２６上で所定の様式でずらされる。ステップ１６１０で、網膜１２８で反射された光放射を用いて、リレー・レンズ系１３８によって、中間像１３０の実像が検出構成要素１３６上に形成され、スクリーン１５０上に表示するために光学像を電子形式に変換する。
【００７１】
画像処理ユニット１４８は、処理装置や制御装置などを含むことがあり、これは、メモリと、検査器具の様々なインターフェースとに接続される。一般に、画像処理ユニット１４８は、中央処理装置又は追加の演算処理装置でよい。処理装置は、特定用途向け集積回路（ＡＳＩＣ）、フィールドプログラマブルゲートアレイ（ＦＰＧＡ）、及び／又は少なくとも１つの実施例の１つ又は複数の機能を行うようにプログラムされている他のハードウェア構成要素を備えることがある。
【００７２】
メモリは、揮発性及び／又は不揮発性メモリを含むことがあり、典型的には、コンテンツやデータなどを記憶する。例えば、メモリは、いくつかの実施例による装置の動作に関連付けられるステップを処理装置が行うことができるように、ソフトウェアアプリケーションやオペレーティングシステムなどのコンピュータプログラムコード、情報、データ、コンテンツを記憶することができる。メモリは、例えば、ランダム・アクセス・メモリ（ＲＡＭ）、ハード・ドライブ、又は他の固定データ・メモリ若しくは記憶デバイスでよい。さらに、メモリ又はその一部は、装置に取外し可能に接続されるリムーバブル・メモリでよい。
【００７３】
データ記憶媒体又はメモリ・ユニットは、処理装置／コンピュータの内部に、又は処理装置／コンピュータの外部に実装されることがあり、外部に実装される場合には、当技術分野で知られている様々な手段によって、処理装置／コンピュータに通信結合することができる。
【００７４】
画像処理ユニット１４８によって生成された画像データは、光学システムのメモリ１５２に保存することができる。さらに又は或いは、画像データは、病院の患者データ・システムのデータ・バンク１５４に記憶することができる。メモリ１５２又はデータ・バンク１５４に記憶された画像は、光学システム又はコンピュータでの検討のために検索することができる。
【００７５】
本発明による検査器具は、ポータブル検眼鏡及び／又はポータブル眼底カメラとして使用することができる。その理由は、この検査器具を、眼の検査中にハンドヘルドとなるように十分にコンパクトで軽量なものにすることができるからである。
【００７６】
技術が進歩するにつれて、本発明の概念を様々な方法で実施することができることが当業者には明らかであろう。本発明及びその実施例は、上述した実例に限定されず、特許請求の範囲の範囲内で変えることができる。
【図２】
2013537826.tif 000003
【図３】
2013537826.tif 000004
【図４】
2013537826.tif 000005
【図５】
2013537826.tif 000006
【図６】
2013537826.tif 000007
【図７】
2013537826.tif 000008
【図８】
2013537826.tif 000009
【図９】
2013537826.tif 000010
【図１０】
2013537826.tif 000011
【図１１】
2013537826.tif 000012
【図１２】
2013537826.tif 000013
【図１３】
2013537826.tif 000014
【図１４】
2013537826.tif 000015
【図１】
2013537826.tif 000016
【図１５】
2013537826.tif 000017
【図１６】
2013537826.tif 000018
【国際調査報告】
2013537826.tif 000019
2013537826.tif 000020
2013537826.tif 000021